(57)【要約】      （修正有）【課題】着心地および着用時の美観性を向上させる婦人服（キャミソール）を提供する。【解決手段】婦人服は、裏身頃および表身頃の襟ぐり４および袖ぐり３を縫い合わせ、綿製のカップパッド５を裏身頃の前部に接着させ、且つプログラムにより制御される編み機を利用して、紡績糸で表身頃を一体的に編むことにより、表身頃の両側に脇部弾性領域１１を形成させ、表身頃の襟ぐりの前部に襟ぐり部弾性領域を構成する。また、裏身頃の底部の周方向に沿って底部弾性領域２１が編まれ、カップパッドの外側には胸部弾性領域２２が編まれる。表身頃の両側に脇縫いがなく、着用している時、カップパッドおよび表身頃が素肌に密着するため、着心地がよい。また、カップパッドに密着した表身頃にカップの輪郭が映し出されないため、体型を整え、女性の曲線美を引き立てる効果がある。【選択図】図３
0003220158.tif 000002
【実用新案登録請求の範囲】
【請求項１】
婦人服であって、
表身頃（１）と、裏身頃（２）とを含み、前記表身頃（１）および前記裏身頃（２）はいずれも袖ぐり（３）および襟ぐり（４）を有し、前記袖ぐり（３）と襟ぐり（４）の間に肩紐（６）が形成され、前記裏身頃（２）は表身頃（１）の内側に設けられ、且つ前記裏身頃（２）の袖ぐり（３）の縁部は表身頃（１）の袖ぐり（３）の縁部に接続され、前記裏身頃（２）の襟ぐり（４）の縁部は表身頃（１）の襟ぐり（４）の縁部に接続され、前記裏身頃（２）の前部に綿製のカップパッド（５）が接着され、前記綿製のカップパッド（５）は表身頃（１）の前部の内側に設けられ、前記表身頃（１）は紡績糸で一体的に編まれ、且つ前記表身頃（１）の両側に脇部弾性領域（１１）が編まれ、前記表身頃（１）の襟ぐり（４）の前部に襟ぐり部弾性領域（１２）が編まれることを特徴とする婦人服。
【請求項２】
前記裏身頃（２）が紡績糸で一体的に編まれ、前記裏身頃（２）の底部の周方向に沿って底部弾性領域（２１）が編まれ、前記裏身頃（２）の前部における綿製のカップパッド（５）の外側に対応する部分に胸部弾性領域（２２）が編まれ、前記裏身頃（２）の後部の中心において襟ぐり（４）と底部弾性領域（２１）の間に背部弾性領域（２３）が編まれることを特徴とする請求項１に記載の婦人服。
【請求項３】
前記裏身頃（２）の袖ぐり（３）の縁部と表身頃（１）の袖ぐり（３）の縁部が縫い合わさり、前記裏身頃（２）の襟ぐり（４）の縁部と表身頃（１）の襟ぐり（４）の縁部が縫い合わさることを特徴とする請求項１に記載の婦人服。
【請求項４】
２つの前記綿製のカップパッド（５）が接続して一体成形されることを特徴とする請求項１〜３のいずれか一項に記載の婦人服。
【考案の詳細な説明】
【技術分野】
【０００１】
本実用新案は、ファッション分野に関し、より詳しくは、婦人服に関する。
【背景技術】
【０００２】
キャミソールは婦人服の一種で、様々なスタイルがあり、着用しやすくファッション性が高いなどの特徴を有するので、女性の間で人気が高い。従来技術によりキャミソールを製造する場合、設計寸法に基づいて布地を裁断し、当該布地を縫い合わせ、さらに裏表二層の布地および綿製のカップパッドで縫製したカップを身頃に装着する。このような方法によって製造されたキャミソールは、襟ぐりおよび袖ぐりの縁部に縫い糸が露出し、身頃の両側で縫い合わせた後の脇縫いが残り、しかも縫製されたカップにも縫い糸が露出している。着用している時、カップに縫い糸が介在するため、衣服は素肌に貼り付けて密着することができない。また、カップの縁部が身頃を押し付けることで、身頃にカップの輪郭が映し出され、美観性が損なわれるという問題点があった
【考案の概要】
【考案が解決しようとする課題】
【０００３】
本実用新案は、従来技術の上記問題点を解決するためになされるものであり、婦人服を提供する。
【０００４】
当該婦人服において、裏身頃および表身頃の襟ぐりおよび袖ぐりを縫い合わせ、綿製のカップパッドを裏身頃の前部に接着させ、且つプログラムにより制御される編み機を利用して、紡績糸で表身頃を一体的に編むことにより、表身頃の両側に脇部弾性領域を形成させ、表身頃の襟ぐりの前部に襟ぐり部弾性領域を編むように構成することにより、表身頃の両側に脇縫いがなく、着用している時、綿製のカップパッドおよび表身頃が素肌に貼り付けて密着することができるため、着心地がよい。また、綿製のカップパッドに密着した表身頃にカップの輪郭が映し出されないため、体型を整え、女性の曲線美を引き立てる効果がある。
【課題を解決するための手段】
【０００５】
上記課題を解決するための本実用新案に係る婦人服は、表身頃と、裏身頃とを含み、前記表身頃および裏身頃はいずれも袖ぐりおよび襟ぐりを有し、前記袖ぐりと襟ぐりの間に肩紐が形成され、前記裏身頃は表身頃の内側に設けられ、且つ前記裏身頃の袖ぐりの縁部は表身頃の袖ぐりの縁部に接続され、前記裏身頃の襟ぐりの縁部は表身頃の襟ぐりの縁部に接続され、前記裏身頃の前部に綿製のカップパッドが接着され、前記綿製のカップパッドは表身頃の前部の内側に設けられ、前記表身頃は紡績糸で一体的に編まれ、且つ前記表身頃の両側に脇部弾性領域が編まれ、前記表身頃の襟ぐりの前部に襟ぐり部弾性領域が編まれることを特徴とする。
【０００６】
さらに、上記婦人服において、前記裏身頃は紡績糸で一体的に編まれ、前記裏身頃の底部の周方向に沿って底部弾性領域が編まれ、前記裏身頃の前部における綿製のカップパッドの外側に対応する部分に胸部弾性領域が編まれ、前記裏身頃の後部の中心において襟ぐりと底部弾性領域の間に背部弾性領域が編まれる。
【０００７】
さらに、上記婦人服において、前記裏身頃の袖ぐりの縁部と表身頃の袖ぐりの縁部が縫い合わさり、前記裏身頃の襟ぐりの縁部と表身頃の襟ぐりの縁部が縫い合わさる。
【０００８】
さらに、上記婦人服において、２つの前記綿製のカップパッドは一体成形される。
【考案の効果】
【０００９】
本実用新案に係る婦人服は、従来技術と比べて以下の利点を有する。
【００１０】
１．綿製のカップパッドを裏身頃に直接接着させることにより、縫い糸が露出しないという特徴を有し、着心地が向上するとともに、製品の生産能率を向上させ、縫製作業によるコストを節約することでき、縫製された衣服に縫い糸が露出し、着心地が損なわれるとう欠点が解消される。
【００１１】
２．表身頃および裏身頃はいずれも編み機を利用して一体的に編むことにより、資材を節約し、生産コストを削減するだけでなく、自動化・機械化されたプロセスにより生産能率をさらに向上させることができ、一体的に編んで作られた表身頃および裏身頃が側面に脇縫いがないため、着用している時、弾力性をもって体型を整えるという効果があり、人体の素肌によく貼り付けて密着することで着心地を向上させ、美観性を高め、女性の曲線美を引き立てることができる。
【００１２】
３．プログラムにより制御される編み機を利用して、表身頃および裏身頃にそれぞれ脇部弾性領域、襟ぐり部弾性領域、胸部弾性領域および背部弾性領域を編むことにより、着用している時、体型を整える効果がある。また、所定部位に弾性布地を縫うことで弾性を高めるという従来技術における問題点を解消している。これにより、表身頃および裏身頃の側面に脇縫いがなく一体性が向上するだけでなく、製造の工程を減らし、手動縫製によるコストを節約し、生産能率を高めることができる。
【図面の簡単な説明】
【００１３】
【図１】本実用新案による製品の正面図である。
【図２】本実用新案による製品の側面図である。
【図３】裏身頃を裏返した本実用新案による製品の正面図である。
【図４】綿製のカップパッドを裏身頃の前部に接着した本実用新案による製品の正面図である。
【図５】本実用新案による製品の裏身頃の背面図である。
【図６】綿製のカップパッドを裏身頃の前部に接着した本実用新案による製品の側面図である。
【考案を実施するための形態】
【００１４】
以下、本実用新案の具体的な実施形態を、図面を参照しながら詳しく説明する。
【００１５】
図１〜図６に示すように、本実用新案に係る婦人服は、表身頃１と、裏身頃２とを含み、表身頃１および裏身頃２はいずれも袖ぐり３および襟ぐり４を有し、袖ぐり３と襟ぐり４の間に肩紐６が形成され、裏身頃２は表身頃１の内側に設けられ、且つ裏身頃２の袖ぐり３の縁部と表身頃１の袖ぐり３の縁部が縫い合わさり、裏身頃２の襟ぐり４の縁部と表身頃１の襟ぐり４の縁部も縫い合わさり、裏身頃２の前部に綿製のカップパッド５が接着され、綿製のカップパッド５は接着手段によって裏身頃２の前部に接着され、綿製のカップパッド５は純綿を用いて一体成形させて製造される。これにより、綿製のカップパッド５は純綿織物本来の色合いを有し、そのうえ環境に優しく健康への配慮もなされるため、特に敏感肌に適する。綿製のカップパッド５は表身頃１の前部の内側に設けられる。図１および図２に示すように、表身頃１は紡績糸で一体的に編まれ、且つその両側に脇部弾性領域１１が編まれ、表身頃１の襟ぐり４の前部に襟ぐり部弾性領域１２が編まれる。綿製のカップパッド５が裏身頃２に直接接着され、縫い糸が露出しないため、着用している時、胸部が綿製のカップパッド５の凹面の裏身頃２に直接接触し、綿製のカップパッド５の輪郭が表身頃１に映し出されないため、女性の曲線美を引き立てるという効果がある。すなわち、綿製のカップパッド５を裏身頃２に直接接着させることにより、生産能率を高め、手動縫製によるコストを節約し、縫製の方法を用いた従来技術では、縫い糸が布地に露出して介在するため着心地が損なわれるという問題点も解消される。
【００１６】
図４〜図６に示すように、裏身頃２は紡績糸で一体的に編まれ、裏身頃２の底部の周方向に沿って底部弾性領域２１が編まれ、裏身頃２の前部における綿製のカップパッド５の外側に胸部弾性領域２２が編まれ、裏身頃２の後部の中心において襟ぐり４と底部弾性領域２１の間に背部弾性領域２３が編まれる。
【００１７】
表身頃１および裏身頃２はいずれも編み機を利用して一体的に編まれ、関連する従来技術としては中国特許文献ＣＮ１０７２４５８０３Ａが挙げられ、局所的に弾力を生じさせプリーツの効果を有する単層織物の紡績方法を開示している。編む時、編み機の張力調整ロッドを調整し、紡績糸を段階的に輸送することで、張力調整ロッドによって紡績糸の張力を調整して、安定した合理的な範囲に制限することにより、局所的に弾力を生じさせプリーツの効果を有する身頃を得ることができ、すなわち一体的に編まれた身頃は、所定の部位において編むことで弾性領域を形成している。これにより、資材を節約し、生産コストを削減するだけでなく、自動化された生産を実現して、生産能率をさらに向上させ、製品の品質が揃っている。一体的に編まれた表身頃および裏身頃は側面に脇縫いがないため、着用している時、弾力をもって体型を整えるだけでなく、表身頃および裏身頃の裏面がいずれも素肌に貼り付けて密着することができ、女性の曲線美を引き立てる効果がある。
【００１８】
本実用新案に係る婦人服において、表身頃１および裏身頃２は別々に一体的に編まれ、２つの綿製のカップパッド５も一体成形プロセスにより製造される。当該婦人服を製造する際は、一体成形により製造された綿製のカップパッド５を裏身頃２の前部に接着させ、次いで裏身頃２の襟ぐり４を表身頃１の襟ぐり４の縁部に揃え、裏身頃２の袖ぐり３の縁部を表身頃１の袖ぐり３の縁部に揃えて縫製して本実用新案に係る製品を得る。
【図１】
0003220158.tif 000003
【図２】
0003220158.tif 000004
【図３】
0003220158.tif 000005
【図４】
0003220158.tif 000006
【図５】
0003220158.tif 000007
【図６】
0003220158.tif 000008